(57)【要約】【課題】電気コード、木材、鉄筋などを結束する為の結束バンドであって、結束力が強くて弛んだり外れたりすることなく、又結束作業及び取外し作業が容易な結束バンドの提供。【解決手段】バンド１は柔軟性のある樹脂製で、基端部側には切込み２，２・・によって複数の舌片３，３・・を等間隔で設け、該舌片３はバンド１に繋がっている基部４を中心として撓み変形する。先端部側には一文字の複数スリット溝５，５・・を等間隔で形成し、該スリット溝５，５・・に舌片３，３・・を嵌入して結束することが出来る。【選択図】        図１
2004291972.tif 000002
【特許請求の範囲】
【請求項１】
電気コード、木材、鉄筋、新聞等を結束する為の結束バンドにおいて、バンドの基端部側には切込みによって複数の舌片を等間隔で設けると共に該舌片はバンドに繋がっている基部を中心として撓み変形可能とし、又先端部側には一文字の複数スリット溝を等間隔で形成し、スリット溝幅は上記舌片の基部における幅寸法より大きくし、被結束体に巻付けた際に舌片がスリット溝に嵌入して結束することを特徴とする結束バンド。
【請求項２】
上記舌片のピッチとスリット溝のピッチを同一にした請求項１記載の結束バンド。
【請求項３】
上記舌片のピッチをスリット溝のピッチの整数倍の長さにした請求項１記載の結束バンド。
【請求項４】
上記舌片のピッチに対してスリット溝のピッチを若干大きくした請求項１記載の結束バンド。
【請求項５】
上記バンドの基端部に保持部を突出して形成した請求項１、請求項２、請求項３、又は請求項４記載の結束バンド。
【請求項６】
上記バンドの先端にスリット溝に係止するカギを形成した請求項１、請求項２、請求項３、請求項４、又は請求項５記載の結束バンド。
【発明の詳細な説明】
【０００１】
【発明の属する技術分野】
本発明は電気コード等をワンタッチで結束することが出来る結束バンドに関するものである。
【０００２】
【従来の技術】
電気コードを結束する為のバンドには色々なもので知られている。例えば、特開２００１−２２５８６１号に係る「結束バンド」は、線材を結束していたバンドを途中で切断した場合でも簡単に再結束できるようにしたもので、テープ状に形成された熱溶着性フイルムに所定間隔でＵ字状又はＶ字状の切込みを設けている。そして、Ｕ字状又はＶ字状の切込みより舌片を押出し、舌片同士を嵌め合わせて結束することが出来る。しかし、切込みより舌片を押出す作業が余分に必要に成り、舌片の嵌め合わせは一箇所だけで結束する為に、途中で外れる虞がある。しかも、舌片同士の嵌め合わせが難しい。
【０００３】
特開２０００−２２９６５８号に係る「電気コード等を縛るバンド」は、電気コード等をワンタッチで結束し、又ワンタッチで取外せる結束バンドであり、帯状シートの外縁部にシートの厚みより少し広い幅のスリットを複数設け、スリットはシート幅の半分位まで切込み、夫々シート先端が近い方向にカーブしている。しかし、シートの外縁部より切込んで複数のスリットを設ける為、結束バンドの強度が低下してしまう。又、スリットの嵌め合わせは一箇所だけである為、途中で外れる虞がある。さらに、結束時にコードを保持する指が邪魔となり、結束し難いなどの問題がある。
【０００４】
実公昭４３−１２２１号に係る「電線結束バンド」は、電線の結束が極めて簡単であり、しかも構造が簡単な結束バンドであり、帯状シートに三日月状の切込みを多数配列し、三日月状の切込みにシート先端を通して線材を結束する。しかし、切込みにシート先端を通す作業が手間であり、結束バンドの取外しが容易でない。勿論、これら従来例の他に色々な結束バンドが用途に応じて使用されている。
【０００５】
【発明が解決しようとする課題】
このように、従来の結束バンドには上記のごとき問題がある。すなわち、電気コード等の被結束体を手軽に結束出来ると共に、結束した後で弛んだり外れたりしないように結束力は強固で安定したものでなくてはならない。本発明が解決しようとする課題はこの問題点であり、強固に結束して弛むことなく、又結束作業及び取外し作業が容易な結束バンドを提供する。
【０００６】
【課題を解決する為の手段】
本発明に係る結束バンドは帯状バンドの一方側である基端部側には概略Ｕ字状、概略Ｖ字状、又はその他の形状をした切込みを複数形成し、他方側である先端部側には一文字のスリット溝を複数形成している。該バンドを電気コード等の被結束体に巻付ける場合、上記切込みによって形成される舌片は外方向へ突出して延び、この舌片に一文字のスリット溝が嵌って係合することが出来る。ここで、スリット溝はバンドに対して横一文字に形成する場合だけでなく、傾斜したスリット溝とすることも出来る。
【０００７】
該複数舌片は同一ピッチで形成され、同じく複数スリット溝も同一ピッチを有している。そして舌片のピッチとスリット溝のピッチは同一である場合、又は舌片のピッチはスリット溝のピッチの整数倍である場合があり、その為に、互いに重なり合うバンド部分では、全てのスリット溝に舌片が嵌入することが出来、結束力は弛むことなく強固になる。また、舌片にスリット溝が係合する部分ではバンドは互いに重なり合う為に、外周側に位置するスリット溝のピッチを舌片に対して若干大きくすることで係合し易くなる。そして、帯状バンドの基端部には指を当てて押さえる為の保持部を形成していて、結束作業がし易く成っている。以下、本発明に係る実施例を図面に基づいて詳細に説明する。
【０００８】
【実施例】
図１は本発明に係る結束バンドを示す実施例である。該結束バンドは一般には樹脂製又はバネ性のある金属製であり、一定幅のバンド１には、その一方側である基端部側にＵ字状の切込み２，２・・を等間隔で複数形成し、該切込み２，２・・によって複数の舌片３，３・・を作っている。該舌片３はＵ字状の切込み２によってバンド１から切離されるが、基部４はバンド１に連続していて、基部４を中心に撓み変形可能となる。従って、舌片先端部はバンド１から起立することが出来る。
【０００９】
一方、上記Ｕ字状切込み２が形成されている反対側には、横一文字のスリット溝５，５・・が等間隔で複数形成されている。このスリット溝間ピッチＰは上記舌片間ピッチＰと同一長さと成っている。スリット溝５の長さＬは上記舌片３の基部幅Ｍより僅かに大きく成っていて、そしてスリット溝幅Ａは舌片厚さより僅かに大きくなっている。従って、舌片３はスリット溝５に嵌入することが出来る。そして、バンド１の舌片３が形成されている基端部には保持部６を側方へ突出して設けている。
【００１０】
ところで、本発明の結束バンドを使用して電気コード７を結束する場合を図２に示している。（ａ）は結束バンドの巻き始め状態、（ｂ）は結束バンドを巻き終えた状態を示している。電気コード７を束ねた状態でバンド１を巻付ける訳であるが、この際に、基端部に設けた保持部６を指で電気コード７に押さえて巻付けることが出来る。保持部６は外方向へ突出して設けられている為に、押されている指がバンド１の巻付けに際して指が邪魔になることはない。
【００１１】
保持部６を指で押さえてバンド１を束ねた電気コード７に巻付けるならば、（ａ）に示すように切込み２，２・・にて形成されている舌片３，３・・はバンド１から離れて外方向へ起立して延びる。そして、スリット溝５，５・・が形成されている先端部側を巻付けると共に、起立した舌片３，３・・をスリット溝５，５・・に嵌入する。
【００１２】
図３には図２のＡ部拡大図及びＢ部拡大図を示しているように、舌片３，３・・は巻付いているバンド１に対して垂直ではなく、斜め方向へ傾斜して延びている為に、スリット溝５に嵌入することで該舌片３が倒れて外れることなく固定される。ここで、スリット溝５，５・・のピッチＰと舌片３，３・・のピッチＰは等しくなっている為に、複数舌片３，３・・が複数スリット溝５，５・・に嵌入することが出来、電気コード７を強力にしかも弛むことなく結束することが出来る。ここで、電気コード７を結束するに際して舌片３，３・・がスリット溝５，５・・に嵌入する場合にはバンドが互いに重なり合う為に、外周側に位置するスリット溝５，５・・のピッチを舌片３，３・・のピッチより僅かに大きくすれば係合し易くなる。
【００１３】
図４は本発明の結束バンドを製造する場合のレイアウトを示す具体例である。該結束バンドは所定の厚さを持って可撓性に優れた樹脂製バンドであり、一定幅の樹脂製帯体８を打ち抜き・裁断して製作される。該結束バンドは基端部に保持部６を形成している為に、樹脂製帯体８が無駄に成らないように、２本を対にしてレイアウトし、結束バンドは互いに向きを変えて裁断される。従来では、この種の結束バンドは射出成形される為に金型代は高くなるが、本発明では打ち抜き・裁断加工されることでその金型代は安くて生産性は非常に高くなる。
【００１４】
図５は本発明に係る結束バンドにおいて、スリット溝５，５・・のピッチが異にする場合を対にして表わしている。（ａ）に示す結束バンドでは、舌片３，３・・のピッチａとスリット溝５，５・・のピッチｂは等しくなっている。従って前記図１に示した結束バンドと同じである。これに対して（ｂ）に示している結束バンドは、舌片３，３・・のピッチａに対してスリット溝５，５・・のピッチｂは１／２と成っている。
【００１５】
（ｂ）に示すように、スリット溝５，５・・のピッチｂを小さくすることで、結束される電気コード７を適度な締め付け力にて縛ることが可能となる。しかも、舌片３，３・・のピッチａはスリット溝５，５・・のピッチｂの整数倍である為に、重なり合う全ての舌片３，３・・はスリット溝５，５・・に嵌入することが出来る。そこで、舌片３，３・・のピッチａがスリット溝５，５・・のピッチｂの整数倍でない場合には、舌片３，３・・はスリット溝５，５・・に一部しか嵌入出来ない為に結束力は低下する。
【００１６】
図６は本発明に係る他の実施例であり、バンド１の基端部側には舌片３，３・・が設けられ、先端部側にはスリット溝５，５・・が設けられている。しかし該結束バンドには基端部に保持部６を有していない。そこで、電気コード７を結束する場合、基端部９を指で電気コード７に押えることが出来ない為に、該基端部９を（ｂ）に示すように電気コード７に挟んで止着し、この状態でバンド１を巻付ける。
【００１７】
巻付けたバンド１は舌片３，３・・をスリット溝５，５・・に嵌入して外れないように結束する。このように、スリット溝５，５・・に舌片３，３・・が嵌入して結束されるならば、スリット溝５，５・・から舌片３，３・・が外れない限り弛むことはない。
【００１８】
図７は本発明に係る結束バンドを示す別実施例である。基本的な形態は前記図１の結束バンドと同じように、結束バンドは一定幅のバンド１にその一方基端部側にＵ字状の切込み２，２・・を等間隔で複数形成し、該切込み２，２・・によって複数の舌片３，３・・を作っている。そして、他方の先端部側には、横一文字のスリット溝５，５・・が等間隔で複数形成されている。
【００１９】
そして、バンド先端にはカギ１０を形成し、該カギ１０はスリット溝５に嵌入して係止することが出来る。図８は上記図７に示した結束バンドを用いて電気コード７を結束した場合である。（ａ）は断面図を示し、（ｂ）は（ａ）におけるＡ矢視図を表わしている。
【００２０】
前記図１に示した結束バンドにて電気コード７を結束した場合を図２（ｂ）に示しているように、バンド先端部１１は巻付いたバンド１から大きく離れて外方向へ突出している。同じく、図６（ａ）に示す結束バンドにて電気コード７を結束する場合においても、同図（ｂ）に示すようにバンド先端部１１は外方向へ大きく突出する。しかし、図７の結束バンドでは先端にカギ１０を形成している為に、該カギ１０がスリット溝５に係止して、先端部１１が外方向へ突出して大きく延びることはない。
【００２１】
ところで、テレビに備わっている電気コード７を該結束バンドによって結束することが出来、該テレビをキャビネット上にセットして使用する際には結束バンドは不要となる。そこで、この結束バンドをテレビの転倒防止として利用することが出来、図９はその具体的な使用例を示している。テレビ１２は正面のブラウン管側に重心が偏っている為に正面側に転倒し易い。そこで、キャビネット１３に載置し、裏側に形成しているカギ１３に係止し、先端部１１をキャビネット１３にネジ止めする。
【００２２】
そこで、基端部９にはカギ１３に係止するカギ穴を形成し、先端部１１にはネジが挿通するネジ穴を前以て形成している。これら、カギ穴及びネジ穴を基端部９と先端部１１に設けても、電気コード７を結束する際に、何ら障害にならない。
【００２３】
以上述べたように、本発明の結束バンドはバンド先端部側には複数のスリット溝を等間隔で設け、基端部側には複数の舌片を等間隔で形成したものであり、次のような効果を得ることが出来る。
【００２４】
【発明の効果】
本発明の結束バンドは、バンド先端部側には複数のスリット溝を等間隔で設け、基端部側には複数の舌片を等間隔で形成している為に、電気コード等の被結束体に巻付けると共に、先端部側のスリット溝に舌片を嵌入することで結束出来る。この場合、バンドを巻付けるならば、舌片はバンドから分離して斜め外方向へ突出して延びる為に、スリット溝には簡単に嵌入することが出来る。すなわち、ワンタッチで結束作業が完了する。
【００２５】
そして、複数のスリット溝及び複数の舌片は夫々等間隔で設けられている為に、巻付くことで重なり合う部分では、全ての舌片がスリット溝に嵌入する為に、強力な結束が可能となる。又、バンド基端部に保持部を突出して設けるならば、該保持部を被結束体に指で押さえてバンドを巻付けることが出来、指が巻付くバンドに挟まれて邪魔になることはない。
【００２６】
又、本発明の結束バンドは一定幅の樹脂製帯体を打ち抜き・裁断加工される為に、その金型代は安くしかも生産性は高くなり、結束バンドの基端部に保持部を形成している場合には、樹脂製帯体が無駄に成らないように互いに向きを変えた状態で２本が対を成してレイアウトされて裁断することで材料の無駄も発生しない。さらに、用途は異なるが、テレビに備わった電気コードを結束している場合、使用時に不要となる該結束バンドを用いて、図９に示すごとくテレビの転倒防止手段として利用できる。
【図面の簡単な説明】
【図１】本発明に係る結束バンドの実施例。
【図２】結束バンドを用いて電気コードを結束する使用例。
【図３】図２におけるＡ部拡大図とＢ部拡大図。
【図４】一定幅の樹脂製帯体を用いて結束バンドを製造する際のレイアウト。
【図５】本発明の結束バンドを示す他の実施例。
【図６】本発明の結束バンドを示す他の実施例、及び該結束バンドの使用例。
【図７】バンド先端にカギを形成した結束バンド。
【図８】図７に示す結束バンドの使用例。
【図９】結束バンドをテレビの転倒防止に用いた具体例。
【符号の説明】
１  バンド
２  切込み
３  舌片
４  基部
５  スリット溝
６  保持部
７  電気コード
８  樹脂製帯体
９  基端部
１０  カギ
１１  先端部
１２  テレビ
１３  キャビネット
【図１】
2004291972.tif 000003
【図２】
2004291972.tif 000004
【図３】
2004291972.tif 000005
【図４】
2004291972.tif 000006
【図５】
2004291972.tif 000007
【図６】
2004291972.tif 000008
【図７】
2004291972.tif 000009
【図８】
2004291972.tif 000010
【図９】
2004291972.tif 000011